【事件の表示】
　平成　５年特許願第　１８４８６号「カラー画像表示装置」拒絶査定に対する審判事件［平成　６年　８月１９日出願公開、特開平　６−２３０７３７］について、次のとおり審決する。
【結　論】
　本件審判の請求は、成り立たない。
【理　由】
１．本願は、平成５年２月５日の出願であって、その請求項１〜７に係る発明は、平成１１年５月６日付手続補正書で補正された明細書及び図面の記載によればその特許請求の範囲に記載されたものと認められるところ、請求項１には次の事項が記載されている（以下、請求項１に係る発明を「本願発明」という。）。
「入力される信号からＲ，Ｇ，Ｂ信号を生成する信号処理手段と、
　この信号処理手段から出力されるＲ，Ｇ，Ｂの信号、または上記信号処理手段へ入力される信号に含まれる輝度信号成分のいずれかを切り換えて出力する信号出力切換手段と、
　この信号出力切換手段からの出力をフィールド順次、あるいはフレーム順次で走査して白黒の映像を表示する映像表示手段と、
　この映像表示手段に表示される映像を選択あるいは透過させるフィルタと、
　カラー画像表示の時は、上記信号出力切換手段からＲ，Ｇ，Ｂの信号をフィールド周波数の３倍の速さで上記映像表示手段へ出力させるとともに、上記フィルタの状態を上記信号出力切換手段から順次出力されるＲ，Ｇ，Ｂの信号に合わせて切り替え、
　また、上記信号出力切換手段を切り換えることにより、上記輝度信号成分をフィールド周波数と等しい速さで上記映像表示手段へ出力させるとともに、上記フィルタを所定の状態にして、白黒画像表示を可能とする制御を行なう制御手段を備えたことを特徴とするカラー画像表示装置。」
　
２．引用例
［１］原査定の拒絶の理由に引用された特開昭５８−８８９８５号公報（以下、「引用例」という。）には、次の記載がある。
　第１図に記載された実施例に関連して、
（ア）「本例は第１図に示すように、赤、緑及び青の原色信号ＥＲ、ＥＧ及びＥＢが所定周期、例えば１水平期間毎に順次切換供給される白黒陰極線管（１）と、・・・のぞき穴（３）の近傍に配され、赤、緑及び青の光を夫々通過せしめる赤、緑及び青の原色フィルタＦＲ、ＦＧ及びＦＢを少なくとも１組持つ色フィルタ（４）と、白黒陰極線管（１）に供給される赤、緑及び青の原色信号ＥＲ、ＥＧ及びＥＢに対応してその蛍光面（１ａ）上に得られる映像よりの像光が、夫々この色フィルタ（４）を構成する赤、緑及び青の原色フィルタＦＲ、ＦＧ及びＦＢの部分を通過するようになす電子シャッター（５）とにより主に構成されるものである。」（第２ページ右上欄第１１行から左下欄第４行）
（イ）「本例では、白黒陰極線管（１）に１水平期間（１Ｈ）毎に赤、緑及び青の原色信号ＥＲ、ＥＧ及びＥＢが順次切換供給される。即ち、カラー映像信号ＳＶから信号処理回路（７）で得られる原色信号ＥＲ、ＥＧ及びＥＢは、夫々ゲート回路（８Ｒ）、（８Ｇ）及び（８Ｂ）に供給される。・・・そして、これら、パルス信号ＰＲ、ＰＧ及びＰＢの高レベル”１”となる期間で夫々原色信号ＥＲ、ＥＧ及びＥＢが順次抜き出される。そして、このゲート回路（８Ｒ）、（８Ｇ）及び（８Ｂ）にて抜き出された原色信号が順次白黒陰極線管（１）に供給される。」（第２ページ右下欄第７〜２０行）
（ウ）「また、本例においては、レンズ（２）、色フィルタ（４）及び電子シャッター（５）が保持されている外匡（１７）の前部（１７Ａ）が移動され、観察者（６）が蛍光面（１ａ）上を直視できるようにされている。・・・したがって、外匡の前部（１７Ａ）を移動し、観察者（６）が白黒陰極線管（１）の蛍光面（１ａ）上を直視するとき、スイッチ（１８）の第２の固定接点（１８ｃ）は接地されることとなり、このとき接続スイッチ（１４）及び（２０）の制御信号供給端子には接地電位が供給される。」（第６ページ左上欄第８行から左下欄第２行）
（エ）「また、接続スイッチ（２０）は通常非接続の状態にあるが、その制御信号供給端子に接地電位が供給されるとき接続状態となる様になされている。そして、このときカラーキラ−回路（１９）はオン状態となり、このとき、周知の通り信号処理回路（７）からは赤、緑及び青の原色信号ＥＲ、ＥＧ及びＥＢに代って輝度信号が得られる。結局、このとき白黒陰極線管（１）には輝度信号が供給され、その蛍光面（１ａ）上には、この輝度信号で密度変調された電子ビームによる白黒映像が発生され、観察者（６）は、この白黒映像を直視することができる。」（第６ページ左下欄第１３行から右下欄第３行）
　第１４図に記載された実施例に関連して、
（オ）「この第１４図において第１図と対応する部分には同一符号を付し、その詳細説明は省略する。・・・この制御回路（２３）より、この水平同期信号ＰＨに応じて、例えばＲＡＭよりなる１水平実時間メモリ（２４Ｒ１）（２４Ｇ１）及び（２４Ｂ１）にアドレス信号及び書き込みクロック信号が供給される。そして、このとき赤の原色信号ＥＲはサンプルホールド回路（２５Ｒ）及びＡ−Ｄ変換器（２６Ｒ）を介してメモリ（２４Ｒ１）に供給され、１水平期間（１Ｈ）で１水平走査分の赤の原色信号ＥＲが書き込まれる。・・・また、これらメモリ（２４Ｒ１）（２４Ｇ１）及び（２４Ｂ１）はそれぞれゲート回路（２７Ｒ）（２７Ｇ）及び（２７Ｂ）を介して、同様に例えばＲＡＭよりなる１水平実時間メモリ（２４Ｒ２）（２４Ｇ２）及び（２４Ｂ２）に接続されている。・・・この制御回路（２３）よりこれらパルス信号ＰＲ、ＰＧ及びＰＢに応じて、それぞれメモリ（２４Ｒ２）（２４Ｇ２）及び（２４Ｂ２）にアドレス信号及び読み出しクロックが供給される。したがって、これらメモリ（２４Ｒ２）（２４Ｇ２）及び（２４Ｂ２）よりは、それぞれのパルス信号ＰＲ、ＰＧ及びＰＢの高レベルとなる１／３Ｈの期間で、順次１水平走査分の赤、緑及び青の原色信号ＥＲ、ＥＧ及びＥＢが読み出される。そして、これら１／３Ｈ水平期間（１／３Ｈ）毎に順次読み出された赤、緑及び青の原色信号ＥＲ、ＥＧ及びＥＢはそれぞれＤ−Ａ変換器（２９Ｒ）（２９Ｇ）及び（２９Ｂ）を介して合成器（３０）で合成され、そして白黒陰極線管（１）に供給される。・・・また、この例においては、白黒陰極線管（１）は通常の３倍の周波数で水平走査がなされる。その他は第１図例と同様に構成される。・・・このように、斯る第１４図例においても第１図例と同様の作用効果を得ることができると共に、水平走査周波数を通常の３倍にし、しかも、このとき赤、緑及び青の原色信号ＥＲ、ＥＧ及びＥＢをメモリよりなる時間軸変換回路を介して無駄なく供給し、１／３Ｈ毎にそれぞれ１水平走査分の赤、緑及び青色映像ＳＲ、ＳＧ及びＳＢを所定位置ｌに得るようになしてあるので、さらに精細度の優れたカラー映像を得ることができる。」（第７ページ左上欄第１５行から第８ページ右上欄第４行）
　さらに、他の実施例として、
（カ）「また、上述実施例の他に、１フィールド毎に白黒陰極線管（１）に赤、緑及び青の原色信号ＥＲ、ＥＧ及びＥＢを切換え供給し、１フィールド毎に順次赤、緑及び青色映像ＳＲ、ＳＧ及びＳＢを結像させ、カラー映像を再生するようにすることもできる。」（第８ページ左下欄第２〜６行）
　
　そして、上記（オ）の記載中の「この第１４図において第１図と対応する部分には同一符号を付し、その詳細説明は省略する。」及び「その他は第１図例と同様に構成される。」という記載、並びに、第１４図において、切換スイッチ（１８）から「切換スイッチ（１４）及び（２０）へ」という矢印が記載されていることから、第１４図の実施例のものも、原色信号ＥＲ、ＥＧ及びＥＢが入力される端子の前段に、第１図の実施例のものと同様に、カラーキラー回路（１９）を有する信号処理回路（７）及び切換スイッチ（２０）が設けられていることが明らかである。
　また、上記（カ）の「１フィールド毎に白黒陰極線管（１）に赤、緑及び青の原色信号ＥＲ、ＥＧ及びＥＢを切換え供給し、１フィールド毎に順次赤、緑及び青色映像ＳＲ、ＳＧ及びＳＢを結像させ、カラー映像を再生するようにすることもできる。」という記載から、引用例には、次の発明が記載されていると認められる。
「入力されるカラー映像信号ＳＶからＲ，Ｇ，Ｂ信号を生成するとともに、Ｒ，Ｇ，Ｂの信号、または入力されるカラー映像信号に含まれる輝度信号成分のいずれかを切り換えて出力する、カラーキラー回路（１９）を有する信号処理回路（７）、サンプルホールド回路（２５Ｒ）（２５Ｇ）（２５Ｂ）、Ａ−Ｄ変換回路（２６Ｒ）（２６Ｇ）（２６Ｂ）、メモリ（２４Ｒ１）（２４Ｇ１）（２４Ｂ１）、ゲート回路（２７Ｒ）（２７Ｇ）（２７Ｂ）、メモリ（２４Ｒ２）（２４Ｇ２）（２４Ｂ２）、Ｄ−Ａ変換回路（２９Ｒ）（２９Ｇ）（２９Ｂ）、合成器（３０）、及び切換スイッチ（２０）からなる、信号処理及び信号出力切換の手段と、
　この信号処理及び信号出力切換の手段からの出力をフィールド順次で走査して白黒の映像を表示する白黒陰極線管（１）と、
　この白黒陰極線管（１）に表示される映像を選択あるいは透過させる色フィルタ（４）及び電子シャッター（５）と、
　カラー画像表示の時は、信号処理及び信号出力切換の手段からＲ，Ｇ，Ｂの信号をフィールド周波数の３倍の速さで上記白黒陰極線管（１）へ出力させるとともに、上記色フィルタ（４）及び電子シャッター（５）の状態を信号処理及び信号出力切換の手段から順次出力されるＲ，Ｇ，Ｂの信号に合わせて切り替え、
　また、上記信号処理及び信号出力切換の手段を切り換えることにより、上記輝度信号成分をフィールド周波数の３倍の速さで上記白黒陰極線管（１）へ出力させるとともに、上記色フィルタ（４）及び電子シャッター（５）を光路より除去して、白黒画像表示を可能とする制御を行う手段を備えたカラー画像表示装置。」
　
［２］さらに、原査定において周知例として引用された「電子工学ポケットブック第３版」（昭和４９年１１月３０日オーム社発行）（以下、「周知例」という。）の第１２−１２ページの［１］フィールド順次方式には、「原理を図１２・２０に示すように，カメラの前に赤，緑，青の３色のフィルタをつけた回転円板を設け，これをモータで回転させ，各フィールドごとに切り替えていく。受像側では白黒受像管の前に同様のフィルタを回転し送像側と同期し，このフィルタを通して映像を見るようにする。・・・ちらつきは各原色ごとに感ずるので映像の毎秒送像数は白黒の場合よりふやさなければならない。・・・」と記載されている。
　
３．本願発明と引用例との対比
　本願発明と引用例に記載された発明とを対比すると、引用例に記載された「入力されるカラー映像信号ＳＶ」「白黒陰極線管（１）」「色フィルタ（４）及び電子シャッター（５）」は、それぞれ本願発明の「入力される信号」「映像表示手段」「フィルタ」に相当し、また、引用例の「カラーキラー回路（１９）を有する信号処理回路（７）、サンプルホールド回路（２５Ｒ）（２５Ｇ）（２５Ｂ）、Ａ−Ｄ変換回路（２６Ｒ）（２６Ｇ）（２６Ｂ）、メモリ（２４Ｒ１）（２４Ｇ１）（２４Ｂ１）、ゲート回路（２７Ｒ）（２７Ｇ）（２７Ｂ）、メモリ（２４Ｒ２）（２４Ｇ２）（２４Ｂ２）、Ｄ−Ａ変換回路（２９Ｒ）（２９Ｇ）（２９Ｂ）、合成器（３０）、及び切換スイッチ（２０）からなる、信号処理及び信号出力切換の手段」は本願発明の「信号処理手段及び信号出力切換手段」に相当する。
　そうすると、両者は、「入力される信号からＲ，Ｇ，Ｂ信号を生成する信号処理手段と、この信号処理手段から出力されるＲ，Ｇ，Ｂの信号、または上記信号処理手段へ入力される信号に含まれる輝度信号成分のいずれかを切り換えて出力する信号出力切換手段と、この信号出力切換手段からの出力をフィールド順次で走査して白黒の映像を表示する映像表示手段と、この映像表示手段に表示される映像を選択あるいは透過させるフィルタと、カラー画像表示の時は、上記信号出力切換手段からＲ，Ｇ，Ｂの信号をフィールド周波数の３倍の速さで上記映像表示手段へ出力させるとともに、上記フィルタの状態を上記信号出力切換手段から順次出力されるＲ，Ｇ，Ｂの信号に合わせて切り替え、また、上記信号出力切換手段を切り換えることにより、上記輝度信号成分を上記映像表示手段へ出力させるとともに、上記フィルタを所定の状態にして、白黒画像表示を可能とする制御を行なう制御手段を備えたことを特徴とするカラー画像表示装置。」である点で一致し、白黒画像表示の時に、引用例記載の発明が「輝度信号成分をフィールド周波数の３倍の速さで映像表示手段へ出力させている」のに対して、本願発明が「輝度信号成分をフィールド周波数と等しい速さで映像表示手段へ出力させている」点で相違する。
　
４．当審の判断
　上記相違点について検討する。
　引用例記載のカラー画像表示装置において白黒画像表示の時は、入力される信号ＥＲ，ＥＧ，ＥＢは同じ輝度信号であるから、３倍の速さで同じ画面を３度表示していると解される。そして、周知例に、フィールド順次方式について、「ちらつきは各原色ごとに感ずるので映像の毎秒送像数は白黒の場合よりふやさなければならない。」と記載されているように、フィールド順次方式において、Ｒ，Ｇ，Ｂの画面を順次表示するカラー画像表示のときは、白黒画像表示のときとちらつきを同程度とするためには、白黒画像に比べて３倍の速さでＲ，Ｇ，Ｂの画面を表示する必要があること、逆に、カラー画像表示に比べて、白黒画像表示の場合は１／３の速さで画面を表示すればよいことは周知である。
　してみれば、引用例記載のカラー画像表示装置において、白黒画像表示の時は、フィールド周波数の３倍の速さであるカラー画像表示に比べて１／３の速さで画面を表示すればよいこと、すなわち、輝度信号成分をフィールド周波数と等しい速さで映像表示手段へ出力させるようにすることは当業者ならば容易に想到し得たものである。
 そして、本願発明の効果も、引用例記載の発明及び周知例から、当業者であれば予測しうる程度のものである。
　
５．審判請求人の主張について
　審判請求人は、審判請求理由補充書で、本願発明は、「Ｒ，Ｇ，Ｂの信号をフィールド周波数の３倍の速さで映像表示手段へ出力し、高精細なカラー画像表示を行うとともに、さらに、本装置で白黒画像を表示させるときは、映像表示手段へ信号処理手段により帯域制限されていない輝度信号をフィールド周波数と同じ速さで入力することで、広帯域の輝度信号により高解像度の白黒画像表示を行うことができます。（輝度信号は、信号処理手段［たとえば、図１に示すＲ．Ｇ．Ｂデコーダ３、ＬＰＦ４，５，６、ＲＧＢ記憶器７，８，９］からの出力ではなく、装置に入力される信号の輝度信号成分を信号出力切換手段［たとえば、図１に示す信号切換スイッチ２２］を介して出力しているので、帯域制限されていない。）」と主張し、引用例にはこの点が開示も示唆もされていないと主張する。
　しかし、本願の特許請求の範囲請求項１には、「この信号処理手段から出力されるＲ，Ｇ，Ｂの信号、または上記信号処理手段へ入力される信号に含まれる輝度信号成分のいずれかを切り換えて出力する信号出力切換手段と、」と記載されているのみであって、白黒画像を表示させるときは、映像表示手段へ信号処理手段により帯域制限されていない輝度信号を入力することは記載されていないから、審判請求人の主張は、特許請求の範囲に基づかない主張であって、採用することができない。
　
６．したがって、本願発明は、本願の出願前に国内で頒布された刊行物である上記引用例に記載された発明及び上記周知技術に基づいて、当業者が容易に発明をすることができたものであるから、特許法第２９条第２項の規定により、特許を受けることができない。
　よって、結論のとおり審決する。